(57)【要約】【課題】従来の問診データ入力システムでテレビ画像を観ることが出来るものは知られているが、医師に呼ばれてテレビ番組を中途でやめざるを得なかった。【解決手段】問診入力をしない限り、テレビまたは録画番組を見ることができないようにし、テレビまたは録画番組の終了時間を自動的または手動的に設定でき、その設定された時間内はテレビまたは録画番組の視聴を優先するよう制御する。【選択図】図２
2014219715.tif 000002
【特許請求の範囲】
【請求項１】
デジタル放送受信可能な受信機を備え、問診回答データを入力可能な問診データ入力システムであって、問診回答データを作成する問診データ作成手段を備えた問診データ入力端末と、放送番組を受信する内蔵したモデムを備えたデジタル放送受信部と、前記問診データを前記モデムからネットワークへ送信する手段と、前記問診データが前記モデムから送出され、登録ユーザーを認証するサーバーと、前記認証した結果により施療する医師の医師端末を選択する手段と、前記問診データを前記サーバーに送信後に前記放送番組またはＣＤ、ＤＶＤ等の既に録画された録画ソフトを受信できるよう制御する制御手段を備えた問診入力システム。
【請求項２】
前記放送番組または録画ソフトの視聴時間または視聴終了時間を自動的または手動で設定する手段を備え、前記視聴時間または前記視聴終了時間が経過するまで前記医師端末からの施療開始または呼び出しを無効にするよう制御する請求項１に記載の問診入力システム。
【発明の詳細な説明】
【技術分野】
【０００１】
本発明は、デジタル放送を受信可能な受像機を利用して患者が問診情報を入力すること
が可能な問診入力システムに関する。
【背景技術】
【０００２】
従来、特許文献１に示すようにデジタル放送を受信可能な受像機を利用して患者が問診情報を入力する問診システムはあった。
【０００３】
特許文献１に示されている図３においてデジタル放送局２０、ユーザー宅設備１０、センターサーバー６１を設置している双方向受付機関６０、メディカルサーバー３１を設置しているサービスセンター３０、協力する各医療機関４０を主な構成要素とする。２３は放送用アンテナである。放送電波は放送衛星８を介してユーザー宅の受信アンテナ１３に受信される。
【０００４】
ユーザー宅設備としては、デジタル放送受信機１１、ＴＶモニタ１２、受信アンテナ１３を備える。デジタル放送受信機１１は、内蔵モデムおよび内蔵不揮発メモリを備える。受信機に内蔵される前記モデムは、データ放送コンテンツから、視聴者の操作により「データ送信」動作が起こった時に電話回線７を通して視聴者設定データ等を双方向受付機関６０へデータ送信するための変復調装置である。また、受信機に内蔵される前記不揮発メモリは、データ放送コンテンツから、視聴者の操作により問診用個人情報が設定された時に、設定された情報を受信機内部に記憶させるためのものである。視聴者はデジタル放送受信機１１に視聴契約者の識別情報を記録したＩＣカードを挿入して、デジタル放送を受信するものとする。
【０００５】
デジタル放送局２０で、視聴者に対して、デジタル放送受信機１１上で、問診サービスの登録申込み機能を提供する登録申込手段、および毎回の問診回答を入力しその内容を問診データとして送信する機能を提供する問診データ作成手段、として動作するスクリプトを含んだデータ放送番組データを、定められた放送プログラムに従って放送アンテナ２３より放送電波として送出する。
【０００６】
双方向受付機関６０に設置されたセンターサーバー６１には、登録申込みデータ、問診データ、以外の一般のデータ放送番組を見た視聴者が発信したデータが集まる。そのうち、登録申込みデータ、問診データだけを選り分けてサービスセンター３０に転送する。センターサーバー６１とサービスセンター３０は、専用線等で接続される。
【０００７】
サービスセンター３０はメディカルサーバー３１を設置している。メディカルサーバー３１はソフトウエアプログラムである登録ユーザー管理手段３２および問診データ集計再送信手段３３を具備する。登録ユーザー管理手段３２は、受け取った登録申込みデータを、登録者氏名やかかりつけ医療機関などから検索できるようなデータ構造を持つ登録ユーザーデータベース３４に登録する。この個人情報レコードは、サービス料金の精算を行なうためのＩＣカード番号情報の項目も含んでいる。
【０００８】
問診データ集計再送信手段３３は、視聴者からの問診用データを双方向受付け機関６０から受け取り、各医療機関毎に集計し、集計結果を「問診ファイル」として各医療機関へファイル送信する。この際各視聴者からの問診用データを集計する為に、一時的にメディカルサーバー３１のテンポラリエリアに問診用データを保存しておく。そして、登録ユーザーデータベース３４を参照して、そのユーザーからの問診データをレポートすべき医療機関を割りだして、それらを医療機関毎にまとめて集計した問診用データを各医療機関へ、既存の電子メールサービス等を利用し、ファイル送信する。また、この時、ファイル送信後も、ある一定期間を設定し各視聴者からの日々の問診データをデータベース３４に管理する。医療機関へ再送信後は、メディカルサーバー３１が問診データを保持する必要性はないが、これはシステムトラブル発生等に備えた有効な予備的措置である。
【先行技術文献】
【特許文献】
【０００９】
【特許文献１】特開２００３−７６７８５号公報
【発明の概要】
【発明が解決しようとする課題】
【００１０】
以上に述べた問診入力システムは在宅で介護を受ける高齢者向けのテレビを使用した医療介護システムである。在宅で介護を受ける場合でなくとも、医療機関の待合室でＴＶモニタを問診データを入力するとともにＴＶモニタでＴＶ画像を楽しむ場合もある。たとえば、もし小児科の場合は子供達が好きな漫画、アニメをそのＴＶ画面で観たいであろう。ＴＶモニタを問診入力にも使用し、放送局から送られてくるＴＶ画像またはあらかじめストアしたビデオ画像を観るＴＶモニタとしても使用した場合、子供は自分の観ている番組ないしはビデオを終わりまで見たいであろう。もしも観ることが出来なかったら泣いた入りして周囲の患者に迷惑がかかることがあった。そのような配慮がこれまでなされていなかった。
【００１１】
本発明は、このような従来の構成が有していた問題を解決しようとする問診入力システムを提供するものである。
【課題を解決するための手段】
【００１２】
本発明の請求項１は、デジタル放送受信可能な受信機を備え、問診回答データを入力可能な問診データ入力システムであって、問診回答データを作成する問診データ作成手段を備えた問診データ入力端末と、放送番組を受信する内蔵したモデムを備えたデジタル放送受信部と、前記問診データを前記モデムからネットワークへ送信する手段と、前記問診データが前記モデムから送出され、登録ユーザーを認証するサーバーと、前記認証した結果により施療する医師の医師端末を選択する手段と、前記問診データを前記サーバーに送信後に前記放送番組またはＣＤ、ＤＶＤ等の既に録画された録画ソフトを受信できるよう制御する制御手段を備えた問診入力システムを提供するものである。
【００１３】
請求項２は、前記放送番組または録画ソフトの視聴時間または視聴終了時間を自動的または手動で設定する手段を備え、前記視聴時間または前記視聴終了時間が経過するまで前記医師端末からの施療開始または呼び出しを無効にするよう制御する請求項１に記載の問診入力システムを提供するものである。
【発明の効果】
【００１４】
上述したように、本発明の問診入力システムは、施療する医師と離れたところでＴＶモニタやスマートフォン、タブレット端末を問診情報入力部として用い、問診情報を入力した後に観賞用のテレビ、ビデオ画像の観賞用として用いた場合、所定の時間、すなわちテレビまたはビデオ画像を所定のところまで観賞した後に医師から施療を受けるので子供がみ終わらない内に医師に呼び出されて施療を受けることがないので、その子供を連れてきた親にも子供に泣かれることがないのでストレスを受けることなく施療を受けるので都合がよい。
【図面の簡単な説明】
【００１５】
【図１】本発明の問診入力システムのブロック図
【図２】本発明の制御部のプログラムを表すフローチャート
【図３】従来例
【図４】問診開始の図
【図５】番組視聴時の図
【図６】呼び出し時の図
【図７】案内時の図
【発明を実施するための形態】
【００１６】
図１は、本発明の問診入力システムのブロック図を示す。
【００１７】
Ｆは、平板型の持ち運び可能なフラットパネルディスプレイを示し、１は、ＴＶ画面を表し、２で示す問診データ入力部からのデータが３で示すモデムを内蔵した制御部を介してＴＶ画面１に表示される。
【００１８】
また４で示すＴＶ放送受信部が不図示のアンテナを介してＴＶ放送を受信し、または５で示すＣＤまたはＤＶＤまたはＶｉｄｅｏのソフト等のあらかじめ録画されたソフトを前記ＴＶ画面で視聴可能にした録画ソフト入力端末を示す。
【００１９】
６は、ネットワークを示し、７はサーバーを示し、問診データ入力部２で入力された問診データの登録者を認証し、制御部３の指示によりその登録者を施療する医師の端末、すなわち、８で示すＡ医師端末または９で示すＢ医師端末に問診データが導かれる。
【００２０】
図２は、制御部３のプログラムを示すフローチャートを示す。
【００２１】
Ｓ１で問診データが入力されたとき、Ｓ２に進み、ＴＶ放送または録画ソフトが視聴可能に設定されたかどうかを判定し、設定されたらＳ３に進み、視聴時間ｔ０を、あらかじめ設定したかまたは終了まで観るのかを判定し、視聴時間を設定する。
【００２２】
Ｓ２でｔ１時間、例えば１分の間に録画ソフトが視聴可能に設定されなければ、ＴＶ放送または録画ソフトを視聴しないと判断しＳ５に進む。
【００２３】
Ｓ５で医師端末から施療の呼び出しがあったとき、Ｓ６に進み、視聴時間ｔがｔ０以上経過したときはＳ７に進み施療可能となる。
【００２４】
視聴時間ｔがｔ０未満のときはＳ８に進み、次の患者がある場合にはＳ２に戻り、次の患者がＴＶ放送または録画ソフトが視聴可能に設定されたかどうかを判定して進む。
【００２５】
図４は、前記Fの問診開始時の問診画面を示す。問診データを入力する端末からでも入力は出来るが、A1に示すようにタッチパネルによる入力インターフェースからでも問診が受けられる。
【００２６】
図５は、前記Fの視聴画面を示す。A2は動画エリアとなる。
【００２７】
図６は、前記Fの番組視聴時の呼び出し画面を示す。呼び出し時には、視聴機械を損なわないようA3のように点滅する等し、A4のように緊急の場合は、呼び出しボタンが表示されても良い。
【００２８】
図７は、前記Fの番組視聴終了時の画面を示し、A5のように診療室の案内を表示する。
【符号の説明】
【００２９】
Ｆ・・・・・・・・フラットディスプレイパネル
１・・・・・・・・ＴＶ画面
２・・・・・・・・問診データ入力端末
３・・・・・・・・制御部
４・・・・・・・・ＴＶ放送受信部
５・・・・・・・・録画ソフト入力端末
６・・・・・・・・ネットワーク
７・・・・・・・・サーバー
８・・・・・・・・Ａ医師端末
９・・・・・・・・Ｂ医師端末
【図１】
2014219715.tif 000003
【図２】
2014219715.tif 000004
【図３】
2014219715.tif 000005
【図４】
2014219715.tif 000006
【図５】
2014219715.tif 000007
【図６】
2014219715.tif 000008
【図７】
2014219715.tif 000009